(57)【要約】【課題】検査対象受体内で生成された検体および試薬の混合液から適正な検査結果を簡易に取得できる検査システム、これに用いられる検査対象受体および検査方法を提供する。【解決手段】検査チップ２の液体回路２５は、検体１０の分離成分が貯留される第二余剰部１１８と、第一混合液が貯留される第一混合部１２０と、第二混合液が貯留される第二混合部１４０とを備える。第二余剰部１１８は、貯留される検体１０の液面またはその下側で光路が形成される。第一混合部１２０は、貯留される第一混合液の液面またはその下側で光路が形成される。第二混合部１４０は、貯留される第二混合液の液面またはその下側で光路が形成される。【選択図】図５
2014010043.tif 000002
【特許請求の範囲】
【請求項１】
液体である検体および試薬が注入される検査対象受体と、前記検査対象受体を回転させることで前記検体を遠心処理する検査装置とを含む検査システムであって、
前記検査対象受体は、
所定の厚みを有する板状の本体部と、
前記本体部において厚み方向と直交する方向に延び、前記検体および前記試薬が流動可能な液体回路とを備え、
前記液体回路は、
前記検体を貯留可能であり、貯留した前記検体が検出される検出部と、
前記検体および前記試薬の混合液を貯留可能であり、貯留した前記混合液が検出される混合部とを備え、
前記検査装置は、
前記検査対象受体を、前記検査対象受体から離間して設けられた第一軸と前記液体回路とが同一面に沿って延びる状態で、前記第一軸および前記第一軸とは異なる第二軸を中心に回転自在に保持する受体保持手段と、
光を照射する光源と、
前記光源との間で光路を形成して、前記光源から照射された光を受光する検出器と、
前記受体保持手段によって保持される前記検査対象受体の前記第一軸および前記第二軸を中心とした回転を制御することで、前記検体を前記検出部に流入させる第一遠心手段と、
前記受体保持手段によって保持される前記検査対象受体の前記第一軸および前記第二軸を中心とした回転を制御することで、前記検体および前記試薬を混合させて、前記混合液を前記混合部に流入させる第二遠心手段と、
少なくとも前記検体が前記検出部で貯留されている状態で、前記受体保持手段によって保持される前記検査対象受体の前記第一軸および前記第二軸を中心とした回転を制御することで、前記検出部を前記光路上に配置される位置まで移動させる第一移動手段と、
前記第一移動手段によって前記検出部が前記光路上に配置される場合、前記検出器によって検出される受光量に基づいて、前記検体に関する情報である検体情報を取得する検体情報取得手段と、
少なくとも前記混合液が前記混合部で貯留されている状態で、前記受体保持手段によって保持される前記検査対象受体の前記第一軸および前記第二軸の少なくとも一方を中心とした回転を制御することで、前記混合部を前記光路上に配置される位置まで移動させる第二移動手段と、
前記第二移動手段によって前記混合部が前記光路上に配置される場合、前記検出器によって検出される受光量に基づいて、前記混合液に関する情報である混合液情報を取得する混合液情報取得手段と、
前記検体情報取得手段によって取得された前記検体情報と、前記混合液情報取得手段によって取得された前記混合液情報とに基づいて、前記検体の検査結果を取得する検査結果取得手段と
を備えたことを特徴とする検査システム。
【請求項２】
前記混合部は、
前記検体と第一の前記試薬とが混合された第一混合液が貯留される第一混合部と、
前記第一混合液と第二の前記試薬とが混合された第二混合液が貯留される第二混合部とを含み、
前記第二遠心手段は、前記検体および前記第一の試薬を混合させて、生成された前記第一混合液を前記第一混合部に流入させる遠心力を付与した後、前記第一混合液および前記第二の試薬を混合させて、生成された前記第二混合液を前記第二混合部に流入させる遠心力を付与し、
前記第二移動手段は、
前記第一混合部で前記第一混合液が貯留されている場合に、前記検査対象受体を前記第一混合部が前記光路上に配置される位置まで移動させ、
前記第二混合部で前記第二混合液が貯留されている場合に、前記検査対象受体を前記第二混合部が前記光路上に配置される位置まで移動させ、
前記混合液情報取得手段は、
前記第二移動手段によって前記第一混合部が前記光路上に配置される場合、前記第一混合液に関する前記混合液情報を取得し、
前記第二移動手段によって前記第二混合部が前記光路上に配置される場合、前記第二混合液に関する前記混合液情報を取得することを特徴とする請求項１に記載の検査システム。
【請求項３】
前記検出部は、前記検体が遠心分離される分離部、および、前記検体の遠心分離時に前記分離部から溢れ出した前記検体が貯留される余剰部の少なくとも一方であり、
前記第一遠心手段は、前記検体に前記分離部へ流入して遠心分離させる遠心力を付与し、
前記第二遠心手段は、前記分離部で遠心分離された前記検体に前記混合部へ流入させる遠心力を付与することを特徴とする請求項１または２に記載の検査システム。
【請求項４】
前記第一移動手段は、前記混合部で前記混合液が貯留された場合に、前記検出部を前記光路上に配置される位置まで移動させ、
前記第二移動手段は、前記検体情報取得手段によって前記検体情報が取得された場合に、前記混合部を前記光路上に配置される位置まで移動させることを特徴とする請求項１から３のいずれかに記載の検査システム。
【請求項５】
前記光路は、前記受体保持手段によって保持される前記検査対象受体に付与される前記遠心力の方向と交わる方向に延び、
前記第一移動手段は、前記検出部に貯留される前記検体の液面またはその下側に前記光路が形成される位置に、前記検出部を移動させ、
前記第二移動手段は、前記混合部に貯留される前記混合液の液面またはその下側に前記光路が形成される位置に、前記混合部を移動させることを特徴とする請求項１から４のいずれかに記載の検査システム。
【請求項６】
液体である検体および試薬が注入され、検査装置によって所定の第一軸を中心に回転されることで遠心力が付与され、且つ、前記第一軸とは異なる第二軸を中心に回転されることで前記遠心力の方向が変化される検査対象受体であって、
前記遠心力の方向に沿って延設され、且つ所定の厚みを有する板状の本体部と、
前記本体部において厚み方向と直交する方向に延び、前記液体が流動可能な液体回路とを備え、
前記液体回路は、
前記検体を貯留可能であり、貯留した前記検体が検出される検出部と、
前記検体および前記試薬の混合液を貯留可能であり、貯留した前記混合液が検出される混合部とを備え、
前記検出部は、前記検査対象受体が前記第二軸を中心に第一の角度まで回転された場合に、前記検出部に貯留される前記検体の液面またはその下側で、前記遠心力の方向と交わる方向に延びる光路が形成され、
前記混合部は、前記検査対象受体が前記第二軸を中心に第二の角度まで回転された場合に、前記混合部に貯留される前記混合液の液面またはその下側で、前記光路が形成されることを特徴とする検査対象受体。
【請求項７】
前記検出部および前記混合部は、前記第二軸から等しい距離離間した位置に設けられたことを特徴とする請求項６に記載の検査対象受体。
【請求項８】
液体である検体および試薬が注入される検査対象受体と、前記検査対象受体を回転させることで前記検体を遠心処理する検査装置とを含む検査システムで実行される検査方法であって、
前記検査対象受体は、
所定の厚みを有する板状の本体部と、
前記本体部において厚み方向と直交する方向に延び、前記検体および前記試薬が流動可能な液体回路とを備え、
前記液体回路は、
前記検体を貯留可能であり、貯留した前記検体が検出される検出部と、
前記検体および前記試薬の混合液を貯留可能であり、貯留した前記混合液が検出される混合部とを備え、
前記検査装置は、
前記検査対象受体を、前記検査対象受体から離間して設けられた第一軸と前記液体回路とが同一面に沿って延びる状態で、前記第一軸および前記第一軸とは異なる第二軸を中心に回転自在に保持する受体保持手段と、
光を照射する光源と、
前記光源との間で光路を形成して、前記光源から照射された光を受光する検出器とを備え、
前記検査方法は、
前記受体保持手段によって保持される前記検査対象受体の前記第一軸および前記第二軸を中心とした回転を制御することで、前記検体を前記検出部に流入させる第一遠心ステップと、
前記受体保持手段によって保持される前記検査対象受体の前記第一軸および前記第二軸を中心とした回転を制御することで、前記検体および前記試薬を混合させて、前記混合液を前記混合部に流入させる第二遠心ステップと、
少なくとも前記検体が前記検出部で貯留されている状態で、前記受体保持手段によって保持される前記検査対象受体の前記第一軸および前記第二軸を中心とした回転を制御することで、前記検出部を前記光路上に配置される位置まで移動させる第一移動ステップと、
前記第一移動ステップによって前記検出部が前記光路上に配置される場合、前記検出器によって検出される受光量に基づいて、前記検体に関する情報である検体情報を取得する検体情報取得ステップと、
少なくとも前記混合液が前記混合部で貯留されている状態で、前記受体保持手段によって保持される前記検査対象受体の前記第一軸および前記第二軸の少なくとも一方を中心とした回転を制御することで、前記混合部を前記光路上に配置される位置まで移動させる第二移動ステップと、
前記第二移動ステップによって前記混合部が前記光路上に配置される場合、前記検出器によって検出される受光量に基づいて、前記混合液に関する情報である混合液情報を取得する混合液情報取得ステップと、
前記検体情報取得ステップによって取得された前記検体情報と、前記混合液情報取得ステップによって取得された前記混合液情報とに基づいて、前記検体の検査結果を取得する検査結果取得ステップと
を備えたことを特徴とする検査方法。
【発明の詳細な説明】
【技術分野】
【０００１】
本発明は、検査対象物の化学的、医学的、生物学的な検査を行うための検査対象受体、当該検査対象受体を回転させて検査対象物に遠心力を付与して検査を行う検査システム、および、当該検査システムで行われる検査方法に関する。
【背景技術】
【０００２】
従来、マイクロチップまたは検査チップと呼ばれる検査対象受体を遠心処理して、生体物質および化学物質等を検査する検査装置が知られている（例えば、特許文献１参照）。  特許文献１には、微小流路構造体を回転させて、測定部からの情報を順次測定する情報測定装置が開示されている。
【先行技術文献】
【特許文献】
【０００３】
【特許文献１】特開２００３−１４９２５３号公報
【発明の概要】
【発明が解決しようとする課題】
【０００４】
しかしながら、従来の検査装置では、検査対象受体内で生成された検体および試薬の混合液から適正な分離液を取得できずに、正確な検査を行うことができないおそれがあった。具体的には、例えば、検体である血液を遠心分離して血漿の上澄み液を生成する場合、遠心力によって破損した血球成分が上澄み液に混入する場合がある。不純物が混入した上澄み液に試薬を混合しても適正な検査結果を取得できないという問題があった。
【０００５】
本発明は、検査対象受体内で生成された検体および試薬の混合液から適正な検査結果を簡易に取得できる検査システム、これに用いられる検査対象受体および検査方法を提供することを目的とする。
【課題を解決するための手段】
【０００６】
本発明の第一態様に係る検査システムは、液体である検体および試薬が注入される検査対象受体と、前記検査対象受体を回転させることで前記検体を遠心処理する検査装置とを含む検査システムであって、前記検査対象受体は、所定の厚みを有する板状の本体部と、前記本体部において厚み方向と直交する方向に延び、前記検体および前記試薬が流動可能な液体回路とを備え、前記液体回路は、前記検体を貯留可能であり、貯留した前記検体が検出される検出部と、前記検体および前記試薬の混合液を貯留可能であり、貯留した前記混合液が検出される混合部とを備え、前記検査装置は、前記検査対象受体を、前記検査対象受体から離間して設けられた第一軸と前記液体回路とが同一面に沿って延びる状態で、前記第一軸および前記第一軸とは異なる第二軸を中心に回転自在に保持する受体保持手段と、光を照射する光源と、前記光源との間で光路を形成して、前記光源から照射された光を受光する検出器と、前記受体保持手段によって保持される前記検査対象受体の前記第一軸および前記第二軸を中心とした回転を制御することで、前記検体を前記検出部に流入させる第一遠心手段と、前記受体保持手段によって保持される前記検査対象受体の前記第一軸および前記第二軸を中心とした回転を制御することで、前記検体および前記試薬を混合させて、前記混合液を前記混合部に流入させる第二遠心手段と、少なくとも前記検体が前記検出部で貯留されている状態で、前記受体保持手段によって保持される前記検査対象受体の前記第一軸および前記第二軸を中心とした回転を制御することで、前記検出部を前記光路上に配置される位置まで移動させる第一移動手段と、前記第一移動手段によって前記検出部が前記光路上に配置される場合、前記検出器によって検出される受光量に基づいて、前記検体に関する情報である検体情報を取得する検体情報取得手段と、少なくとも前記混合液が前記混合部で貯留されている状態で、前記受体保持手段によって保持される前記検査対象受体の前記第一軸および前記第二軸の少なくとも一方を中心とした回転を制御することで、前記混合部を前記光路上に配置される位置まで移動させる第二移動手段と、前記第二移動手段によって前記混合部が前記光路上に配置される場合、前記検出器によって検出される受光量に基づいて、前記混合液に関する情報である混合液情報を取得する混合液情報取得手段と、前記検体情報取得手段によって取得された前記検体情報と、前記混合液情報取得手段によって取得された前記混合液情報とに基づいて、前記検体の検査結果を取得する検査結果取得手段とを備える。
【０００７】
本発明の第二態様に係る検査対象受体は、液体である検体および試薬が注入され、検査装置によって所定の第一軸を中心に回転されることで遠心力が付与され、且つ、前記第一軸とは異なる第二軸を中心に回転されることで前記遠心力の方向が変化される検査対象受体であって、前記遠心力の方向に沿って延設され、且つ所定の厚みを有する板状の本体部と、前記本体部において厚み方向と直交する方向に延び、前記液体が流動可能な液体回路とを備え、前記液体回路は、前記検体を貯留可能であり、貯留した前記検体が検出される検出部と、前記検体および前記試薬の混合液を貯留可能であり、貯留した前記混合液が検出される混合部とを備え、前記検出部は、前記検査対象受体が前記第二軸を中心に第一の角度まで回転された場合に、前記検出部に貯留される前記検体の液面またはその下側で、前記遠心力の方向と交わる方向に延びる光路が形成され、前記混合部は、前記検査対象受体が前記第二軸を中心に第二の角度まで回転された場合に、前記混合部に貯留される前記混合液の液面またはその下側で、前記光路が形成されることを特徴とする。
【０００８】
本発明の第三態様に係る検査方法は、液体である検体および試薬が注入される検査対象受体と、前記検査対象受体を回転させることで前記検体を遠心処理する検査装置とを含む検査システムで実行される検査方法であって、前記検査対象受体は、所定の厚みを有する板状の本体部と、前記本体部において厚み方向と直交する方向に延び、前記検体および前記試薬が流動可能な液体回路とを備え、前記液体回路は、前記検体を貯留可能であり、貯留した前記検体が検出される検出部と、前記検体および前記試薬の混合液を貯留可能であり、貯留した前記混合液が検出される混合部とを備え、前記検査装置は、前記検査対象受体を、前記検査対象受体から離間して設けられた第一軸と前記液体回路とが同一面に沿って延びる状態で、前記第一軸および前記第一軸とは異なる第二軸を中心に回転自在に保持する受体保持手段と、光を照射する光源と、前記光源との間で光路を形成して、前記光源から照射された光を受光する検出器とを備え、前記検査方法は、前記受体保持手段によって保持される前記検査対象受体の前記第一軸および前記第二軸を中心とした回転を制御することで、前記検体を前記検出部に流入させる第一遠心ステップと、前記受体保持手段によって保持される前記検査対象受体の前記第一軸および前記第二軸を中心とした回転を制御することで、前記検体および前記試薬を混合させて、前記混合液を前記混合部に流入させる第二遠心ステップと、少なくとも前記検体が前記検出部で貯留されている状態で、前記受体保持手段によって保持される前記検査対象受体の前記第一軸および前記第二軸を中心とした回転を制御することで、前記検出部を前記光路上に配置される位置まで移動させる第一移動ステップと、前記第一移動ステップによって前記検出部が前記光路上に配置される場合、前記検出器によって検出される受光量に基づいて、前記検体に関する情報である検体情報を取得する検体情報取得ステップと、少なくとも前記混合液が前記混合部で貯留されている状態で、前記受体保持手段によって保持される前記検査対象受体の前記第一軸および前記第二軸の少なくとも一方を中心とした回転を制御することで、前記混合部を前記光路上に配置される位置まで移動させる第二移動ステップと、前記第二移動ステップによって前記混合部が前記光路上に配置される場合、前記検出器によって検出される受光量に基づいて、前記混合液に関する情報である混合液情報を取得する混合液情報取得ステップと、前記検体情報取得ステップによって取得された前記検体情報と、前記混合液情報取得ステップによって取得された前記混合液情報とに基づいて、前記検体の検査結果を取得する検査結果取得ステップとを備える。
【０００９】
本発明の第一〜第三態様によれば、検出部内の検体から取得された検体情報と、試薬と検体との混合液から取得された混合液情報とに基づいて、検査装置で適正な検査結果を取得できる。さらに、検査対象受体を第一軸および第二軸を中心に回転させることで、検体および試薬の混合液が生成されるのみならず、検出部および混合部を一の光源と検出器との間における共通の光路で光計測できる。言い換えると、混合液を計測するための光路で、検出部内の検体を計測できる。したがって、検査装置に検出部内の検体を計測するための光路を設ける必要がないため、検査装置で適正な検査結果を簡易に取得できる。
【図面の簡単な説明】
【００１０】
【図１】検査チップ２が定常状態にある、検査装置１の背面図である。
【図２】検査チップ２が変位状態にある、検査装置１の背面図である。
【図３】図１に示す検査装置１の平面図である。
【図４】図１に示す検査装置１を斜め上方からみた斜視図である。
【図５】検査チップ２の正面図である。
【図６】制御装置９０の電気的構成を示すブロック図である。
【図７】補正テーブル８のデータ構成を示す図である。
【図８】検査装置１で実行されるメイン処理のフローチャートである。
【図９】自転角度９０度で公転される検査チップ２の正面図である。
【図１０】自転角度０度で公転される検査チップ２の正面図である。
【図１１】自転角度９０度で公転される検査チップ２の正面図である。
【図１２】自転角度４５度で公転される検査チップ２の正面図である。
【図１３】第一混合部１２０に光路が通る検査チップ２の正面図である。
【図１４】自転角度０度で公転される検査チップ２の正面図である。
【図１５】第二混合部１４０に光路が通る検査チップ２の正面図である。
【図１６】第二余剰部１１８に光路が通る検査チップ２の正面図である。
【図１７】遠心処理前の第一変形例の検査チップ２の正面図である。
【図１８】遠心処理後の第一変形例の検査チップ２の正面図である。
【図１９】遠心処理前の第二変形例の検査チップ２の正面図である。
【図２０】遠心処理後の第二変形例の検査チップ２の正面図である。
【発明を実施するための形態】
【００１１】
本発明を具体化した実施の形態について、図面を参照して説明する。参照する図面は、本発明が採用しうる技術的特徴を説明するために用いられるものであり、単なる説明例である。
【００１２】
図１および図２を参照して、検査システム３の概略構造について説明する。本実施形態の検査システム３は、検査対象である液体（以下、検体と呼ぶ。）および検体に混合される液体（以下、試薬と呼ぶ。）を収容可能な検査チップ２と、検査チップ２を用いて検査を行う検査装置１とを含む。検査装置１は、検査チップ２から離間した垂直軸を中心とした回転によって、検査チップ２に遠心力を付与できる。検査装置１は、検査チップ２を水平軸まわりに回転させることによって、検査チップ２に付与される遠心力の方向（以下、遠心方向と呼ぶ。）を切り替え可能である。
【００１３】
図１〜図４を参照して、検査装置１の詳細構造について説明する。以下の説明では、図１および図２の上方、下方、右方、左方、紙面手前側、紙面奥側を、それぞれ、検査装置１の上方、下方、右方、左方、後方、前方とする。図３の上方、下方、右方、左方、紙面手前側、紙面奥側を、それぞれ、検査装置１の前方、下方、右方、左方、上方、下方とする。なお、理解を容易にするために、図１および図２では上部筐体３０を仮想線で示し、図３では上部筐体３０の天板が取り除かれた状態を示す。図４では、上板３２に設置された各部材のうち、上部筐体３０、ターンテーブル３３のみを図示している。
【００１４】
図１〜図４に示すように、検査装置１は、上部筐体３０、下部筐体３１、ターンテーブル３３、角度変更機構３４、制御装置９０などを備える。下部筐体３１は、ターンテーブル３３を垂直軸まわりに回転させる駆動機構が内部に設けられている。ターンテーブル３３は、下部筐体３１の上面側に設けられた、検査チップ２が上方に保持される円盤状の回転体である。角度変更機構３４は、ターンテーブル３３に設けられた、検査チップ２を水平軸まわりに回転させる駆動機構である。上部筐体３０は、下部筐体３１の上側に固定されており、検査チップ２に対して光学的な計測を行う計測部７が内部に設けられている。制御装置９０は、検査装置１の遠心処理や計測処理等を制御するコントローラである。
【００１５】
下部筐体３１の詳細構造を説明する。下部筐体３１は、枠部材を組み合わせた箱状のフレーム構造を有する。下部筐体３１の上面には、平面視長方形の板材である上板３２が設けられている。上板３２の上側には、ターンテーブル３３が回転自在に設けられている。下部筐体３１の内部には、ターンテーブル３３を回転させる機構が、次のように設けられている。
【００１６】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。平面視で下部筐体３１の中央部には、下部筐体３１の内部から上方に延びる垂直な主軸５７が設けられている。主軸５７は、上板３２を貫通して、下部筐体３１の上側に突出している。主軸５７の上端部は、平面視でターンテーブル３３の中央部に接続されている。
【００１７】
上板３２の直下には、主軸５７が貫通する保持金具である支持部材５３が設けられている。主軸５７は、支持部材５３によって回転自在に保持されている。主軸５７における支持部材５３の下側には、プーリ３８が固定されている。プーリ３７、３８に亘って、ベルト３９が掛け渡されている。主軸モータ３５が軸３６を回転させると、プーリ３７、ベルト３９、プーリ３８を介して駆動力が主軸５７に伝達される。このとき、主軸５７の回転に連動して、ターンテーブル３３が主軸５７を中心に回転する。
【００１８】
下部筐体３１内の右方寄りに、下部筐体３１の底面から上板３２の下面まで垂直に延びるガイドレール５６が設けられている。Ｔ字型板状の連結金具であるＴ型プレート４８は、ガイドレール５６に沿って下部筐体３１内で上下方向に移動可能である。Ｔ型プレート４８の前側（図１、図２では紙面奥側）の面には、横長の溝部８０が形成されている。
【００１９】
先述の主軸５７は、内部が中空の筒状体である。内軸４０は、主軸５７の内部で上下方向に移動可能な垂直軸である。内軸４０の上端部は、主軸５７内を貫通して後述のラックギア４３に接続されている。主軸５７の下側には、中フレーム部材５２に固定された軸受５５が設けられている。Ｔ型プレート４８の左端部には、軸受４１が設けられている。軸受４１の内部では、内軸４０の下端部が回転自在に保持される。
【００２０】
Ｔ型プレート４８の前側には、Ｔ型プレート４８を上下動させるためのステッピングモータ５１が、図示外の固定具によって固定されている。ステッピングモータ５１の軸５８は、後側（図１、図２では紙面手前側）に向けて突出しており、先端に円盤状のカム板５９が固定されている。カム板５９の後側の面には、円柱状の突起７０が設けられている。突起７０の先端部は先述の溝部８０に挿入されているため、突起７０は溝部８０内を摺動可能である。ステッピングモータ５１が軸５８を回転させると、カム板５９の回転に連動して突起７０が上下動する。このとき、溝部８０に挿入されている突起７０に連動して、Ｔ型プレート４８がガイドレール５６に沿って上下動する。
【００２１】
角度変更機構３４の詳細構造を説明する。角度変更機構３４は、ターンテーブル３３の上面に固定された、一対のＬ字型板状の連結金具であるＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸４０に固定されたラックギア４３が設けられている。ラックギア４３は、縦長の金属製の板状部材であり、両端面にギアが各々刻まれている。
【００２２】
各Ｌ型プレート６０の延設方向の先端側では、ギア４５が有する水平な支軸４６が回転自在に軸支されている。支軸４６は装着用ホルダ（図示外）を介して検査チップ２に固定されているため、ギア４５の回転に連動して検査チップ２も支軸４６を中心に回転する。ギア４５とラックギア４３との間には、Ｌ型プレート６０によって水平軸まわりに回転自在に支持されたピニオンギア４４が介在している。ピニオンギア４４は、ギア４５およびラックギア４３にそれぞれ噛合している。ラックギア４３の上下動に連動して、ピニオンギア４４、ギア４５がそれぞれ従動回転し、ひいては検査チップ２が支軸４６を中心に回転する。
【００２３】
本実施形態では、主軸モータ３５がターンテーブル３３を回転駆動するのに伴って、検査チップ２が主軸５７（すなわち、垂直軸）を中心に回転して、検査チップ２に遠心力が付与される。検査チップ２の垂直軸まわりの回転を、「公転」と呼ぶ。一方、ステッピングモータ５１が内軸４０を上下動させるのに伴って、検査チップ２が支軸４６（すなわち、水平軸）を中心に回転して、検査チップ２に作用する遠心方向が相対変化する。検査チップ２の水平軸まわりの回転を、「自転」と呼ぶ。
【００２４】
Ｔ型プレート４８が可動範囲の最下端まで下降した状態（図１参照）では、ラックギア４３も可動範囲の最下端まで下降する。このとき、検査チップ２は、自転角度が「０度」の状態（以下、定常状態と呼ぶ。）になる。一方、Ｔ型プレート４８が可動範囲の最上端まで上昇した状態（図２参照）では、ラックギア４３も可動範囲の最上端まで上昇する。このとき、検査チップ２は、定常状態から１８０度水平軸まわりに回転した状態になる。本実施形態では、例えば、検査チップ２が自転可能な角度幅は、自転角度が０度である定常状態から自転角度１８０度である。 
【００２５】
上部筐体３０の詳細構造を説明する。上部筐体３０は、枠部材を組み合わせた箱状のフレーム構造を有し、上板３２の左部上側に設置されている。より詳細には、上部筐体３０は、ターンテーブル３３の回転中心（つまり、主軸５７）からみて、検査チップ２が回転される範囲の外側に設けられている。上部筐体３０は、ターンテーブル３３の外周側において平面視で円弧状に延びる対向壁８１を有する。
【００２６】
上部筐体３０の内部に設けられた計測部７は、計測光を発する光源７１と、光源７１から発せられた計測光を検出する光センサ７２とを有する。光源７１および光センサ７２は、検査チップ２の回転範囲の外側において、ターンテーブル３３の前後両側に配置されている。光源７１は、検査装置１の後側に向けて計測光を発する発光部７１Ａを有する。光センサ７２は、検査装置１の前側から射出される計測光を受ける受光部７２Ａを有する。対向壁８１には、発光部７１Ａおよび受光部７２Ａを上部筐体３０の外部に露出させるための露出口８５、８６が形成されている。本実施形態では、検査チップ２の公転可能範囲のうちで主軸５７の左側位置が、検査チップ２に計測光が照射される計測位置である。検査チップ２が計測位置にある場合、光源７１と光センサ７２とを結ぶ光路が、平面視で検査チップ２の前後面に対して垂直に交差する。
【００２７】
図５を参照して、検査チップ２の詳細構造を説明する。以下の説明では、図５の上方、下方、右方、左方、紙面手前側、紙面奥側を、それぞれ、検査チップ２の上方、下方、右方、左方、前方、後方とする。検査チップ２は、正面視で正方形状であり、所定の厚みを有する透明な合成樹脂の板材２０を主体とする。板材２０の正面には、検査チップ２に封入された液体が流動可能な液体回路２５が形成されている。液体回路２５は、板材２０の正面側に所定深さで形成された凹部であり、板材２０の厚み方向と直交する方向に延びる。板材２０の正面は、透明の合成樹脂の薄板から構成されたシート（図示外）によって封止されている。
【００２８】
液体回路２５は、第一貯留部１１０、分離部１１２、第一余剰部１１４、第一定量部１１６、第二余剰部１１８、第一混合部１２０、第二貯留部１３０、第二定量部１３２、第三余剰部１３４、第二混合部１４０、第三貯留部１５０、第三定量部１５２、第四余剰部１５４等を有する。図示しないがシートには、第一〜第三貯留部１１０、１３０、１５０に液体をそれぞれ注入するための開口（注入口）が形成されている。第一〜第三貯留部１１０、１３０、１５０に液体が注入されたのち、各注入口は封止パッチ（図示外）が貼り付けられて封止される。
【００２９】
第一〜第三貯留部１１０、１３０、１５０は、それぞれ、検体１０、第一試薬１１、第二試薬１２が注入および貯留される部位である。第一〜第三貯留部１１０、１３０、１５０は、検査チップ２の上辺部２１に沿って左右方向に並んで形成されている。第一〜第三貯留部１１０、１３０、１５０のうち、第一貯留部１１０が検査チップ２の左辺部２３に最も近く、第三貯留部１５０が検査チップ２の右辺部２２に最も近く、第二貯留部１３０が第一貯留部１１０と第三貯留部１５０との間に位置する。
【００３０】
第一貯留部１１０から下側に向けて、第一供給路１１１が形成されている。第一供給路１１１の下方には、分離部１１２が設けられている。分離部１１２は、検体１０を遠心分離するための部位であり、正面視で上側に開口する矩形状の凹部である。第一供給路１１１と分離部１１２とが連通する部位から、第一通路１１３および第二通路１１５が左右両側に延びている。第一通路１１３は、第一供給路１１１の左下端部と分離部１１２の左上端部とに接続され、分離部１１２の左下方に設けられた第一余剰部１１４まで延びている。第一余剰部１１４は、分離部１１２から溢れ出た検体１０が貯留される部位であり、正面視で第一通路１１３の下端部から左下方向に延びる矩形状の凹部である。
【００３１】
第二通路１１５は、第一供給路１１１の右下端部と分離部１１２の右上端部とに接続され、分離部１１２の右下方に設けられた第一定量部１１６の上側まで延びている。第一定量部１１６は、分離部１１２で遠心分離された検体１０の分離成分１３（図９参照）を定量する部位であり、正面視で上側に開口する凹部である。第二通路１１５と第一定量部１１６とが連通する部位から、第三通路１１７および第四通路１１９が左右両側に延びている。第三通路１１７は、第二通路１１５の左下端部と第一定量部１１６の左上端部とに接続され、第一定量部１１６の左下方に設けられた第二余剰部１１８まで延びている。第二余剰部１１８は、第一定量部１１６から溢れ出た分離成分１３が貯留される部位であり、正面視で第三通路１１７の下端部から左下方向に延びる矩形状の凹部である。第四通路１１９は、第二通路１１５の右下端部と第一定量部１１６の右上端部とに接続され、第一定量部１１６の右下方に設けられた後述の第一混合部１２０まで延びている。
【００３２】
第二貯留部１３０から下側に向けて、第二供給路１３１が形成されている。第二供給路１３１の下方には、第二定量部１３２が設けられている。第二定量部１３２は、第一試薬１１を定量する部位であり、正面視で上側に開口する凹部である。第二供給路１３１と第二定量部１３２とが連通する部位から、第五通路１３３および第六通路１３５が左右両側に延びている。第五通路１３３は、第二供給路１３１の左下端部と第二定量部１３２の左上端部とに接続され、第二定量部１３２の左下方に設けられた第三余剰部１３４まで延びている。第三余剰部１３４は、第二定量部１３２から溢れ出た第一試薬１１が貯留される部位であり、正面視で第五通路１３３の下端部から右方向に延びる矩形状の凹部である。
【００３３】
第六通路１３５は、第二供給路１３１の右下端部と第二定量部１３２の右上端部とに接続され、第二定量部１３２の右下方に設けられた第一混合部１２０の上側まで延びている。第一混合部１２０は、第一定量部１１６で定量された分離成分１３と、第二定量部１３２で定量された第一試薬１１とが混合される部位であり、正面視で上側に開口する凹部である。分離成分１３と第一試薬１１との混合液を、第一混合液１５（図１２参照）という。第六通路１３５と第一混合部１２０とが連通する部位から、先述の第四通路１１９および第七通路１３６が左右両側に延びている。第七通路１３６は、第六通路１３５の右下端部と第一混合部１２０の右上端部とに接続され、第一混合部１２０の右上方に設けられた後述の第二混合部１４０まで延びている。
【００３４】
第三貯留部１５０から下側に向けて、第三供給路１５１が形成されている。第三供給路１５１の下方には、第三定量部１５２が設けられている。第三定量部１５２は、第二試薬１２を定量する部位であり、正面視で上側に開口する凹部である。第三供給路１５１と第三定量部１５２とが連通する部位から、第八通路１５３および混合室１５５が左右両側に延びている。第八通路１５３は、第三供給路１５１の左下端部と第三定量部１５２の左上端部とに接続され、第三定量部１５２の左下方に設けられた第四余剰部１５４まで延びている。第四余剰部１５４は、第三定量部１５２から溢れ出た第二試薬１２が貯留される部位であり、正面視で第八通路１５３の下端部から右方向に延びる矩形状の凹部である。
【００３５】
混合室１５５は、第三供給路１５１の右下端部と第三定量部１５２の右上端部とに接続され、第三定量部１５２の右下方に設けられた第二混合部１４０の上側まで延びている。混合室１５５は、第二混合部１４０は、第一混合部１２０で生成された第一混合液１５と、第三定量部１５２で定量された第二試薬１２とが混合される部位である。第二混合部１４０は、混合室１５５で生成された第一混合液１５と第二試薬１２との混合液を、正面視で上側に開口する矩形状の凹部である。第一混合液１５と第二試薬１２との混合液を、第二混合液１６（図１４参照）という。
【００３６】
Ｌ型プレート６０から延びる支軸４６は板材２０の背面中央に垂直に連結され、主軸５７と液体回路２５とが同一面に沿って延びる状態で、検査チップ２を支持する。支軸４６の回転に伴って、検査チップ２が支軸４６（図５の軸線Ｏ）を中心に正面視で反時計回り方向に自転する。検査チップ２は定常状態（図５参照）である場合、上辺部２１および下辺部２４が重力方向Ｂと直交し、右辺部２２および左辺部２３が重量方向Ｂと平行、且つ、左辺部２３が右辺部２２よりも主軸５７側に配置される。
【００３７】
検査チップ２では、第一余剰部１１４、第二余剰部１１８、第一混合部１２０、第二混合部１４０が、正面視で軸線Ｏから略等しい距離で形成されている。検査チップ２は定常状態で計測位置に配置されている場合、光源７１と光センサ７２とを結ぶ光路が第二混合部１４０を平面視で垂直に通過する。したがって、計測位置の検査チップ２を軸線Ｏ中心に自転させると、第一余剰部１１４、第二余剰部１１８、第一混合部１２０、第二混合部１４０を経由する円弧状の軌跡（図５の点線矢印）で光路が相対移動する。
【００３８】
図６を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、制御装置９０に対する指示を入力するための操作部９４、各種データやプログラムを記憶するハードディスク装置であるＨＤＤ９５、各種情報を表示するディスプレイ９６などが接続されている。ＨＤＤ９５には、後述の補正テーブル８が記憶されている。
【００３９】
ＣＰＵ９１には、公転コントローラ９７、自転コントローラ９８、計測コントローラ９９などが接続されている。公転コントローラ９７は、主軸モータ３５を回転駆動することで、検査チップ２の公転を制御する。公転コントローラ９７は、検査チップ２の単位時間あたりの公転数および公転位置を制御可能である。自転コントローラ９８は、ステッピングモータ５１を回転駆動することで、検査チップ２の自転を制御する。自転コントローラ９８は、検査チップ２の自転角度を制御可能である。計測コントローラ９９は、光源７１の発光制御および光センサ７２の検出制御を行うことで、後述の光計測を実行する。
【００４０】
図７を参照して、補正テーブル８を説明する。補正テーブル８は、第一混合液１５および第二混合液１６の検査結果を補正するために用いられる。検体１０が血液である場合、第一混合液１５および第二混合液１６の検査値に変動を与える要因の一つとして、検体１０の溶血がある。本実施形態は、検体１０の溶血が検査結果に与える影響を補正するために、補正テーブル８に溶血指数と補正値とが対応付けて記憶されている。
【００４１】
溶血指数は、分離成分１３の色調（溶血、黄疸、乳濁等）の有無およびその色調に基づいて、検体１０の溶血レベルを表現する数値である。溶血指数が大きいほど、分離成分１３の溶血の程度が大きいことを示す。補正値は、溶血指数に応じて対応付けられた、第一混合液１５および第二混合液１６から検出されたヘモグロビン濃度を補正する数値である。補正テーブル８では、溶血指数が大きいほど検査対象から検出されるヘモグロビン濃度の減少幅が大きくなるように、溶血指数に応じて段階的に複数の補正値が設定されている。
【００４２】
図８〜図１６を参照して、検査装置１を用いた検査方法について説明する。ユーザは検査チップ２を支軸４６に取り付けて、操作部９４から処理開始のコマンドを入力する。これにより、ＣＰＵ９１は、ＲＯＭ９３に記憶されている制御プログラムに基づいて、以下のメイン処理（図８）を実行する。なお、検査装置１は２つの検査チップ２を同時に処理可能であるが、以下では説明の便宜のため、１つの検査チップ２を検査する手順を説明する。
【００４３】
図８に示すように、検査装置１のメイン処理では、以下の検査チップ２の回転制御によって、第一混合液１５が生成される（Ｓ１）。まず、図９に示すように、自転コントローラ９８が定常状態（つまり、自転角度「０度」）の検査チップ２を、正面視で反時計周り方向に９０度自転させ、自転角度を「９０度」に変位させる。公転コントローラ９７が、自転角度「９０度」に変位した検査チップ２を公転する。これにより、上辺部２１から下辺部２４に向けて、検査チップ２に遠心力Ａが働く。
【００４４】
遠心力Ａの作用によって、第一貯留部１１０に貯留されている検体１０が、第一供給路１１１を介して分離部１１２に流入する。分離部１１２では、所定量を超える検体１０が第一通路１１３に溢れ出して第一余剰部１１４に貯留されることによって、所定量の検体１０が定量される。さらに、分離部１１２および第一余剰部１１４では、各々に貯留された検体１０が、比重の小さい分離成分１３と、分離成分１３よりも比重の大きい残留成分１４とに遠心分離される。本実施形態では、検体１０として血液を用いられるため、血漿（分離成分１３）と血球（残留成分１４）とに分離される。
【００４５】
同時に、第二貯留部１３０に貯留されている第一試薬１１が、第二供給路１３１を介して第二定量部１３２に流入する。第二定量部１３２では、所定量の第一試薬１１が貯留される（つまり、定量される）。余剰分の第一試薬１１は、第二定量部１３２から第五通路１３３に溢れ出し、第三余剰部１３４に貯留される。同様に、第三貯留部１５０に貯留されている第二試薬１２が、第三供給路１５１を介して第三定量部１５２に流入する。第三定量部１５２では、所定量を超える第二試薬１２が第八通路１５３に溢れ出して第四余剰部１５４に貯留されることによって、所定量の第二試薬１２が定量される。
【００４６】
次に、図１０に示すように、自転コントローラ９８が自転角度「９０度」の検査チップ２を、正面視で時計周り方向に９０度自転させ、定常状態に変位させる。公転コントローラ９７が、定常状態に変位した検査チップ２を公転する。これにより、左辺部２３から右辺部２２に向けて、検査チップ２に遠心力Ａが働く。遠心力Ａの作用によって、分離成分１３が分離部１１２から第二通路１１５に流出する一方、残留成分１４は分離部１１２に留まる。同時に、第二定量部１３２で定量された第一試薬１１が、第二定量部１３２から第六通路１３５に流出する。第三定量部１５２で定量された第二試薬１２が、第三定量部１５２から混合室１５５に流出する。
【００４７】
次に、図１１に示すように、自転コントローラ９８が定常状態の検査チップ２を、正面視で反時計周り方向に９０度自転させ、自転角度を「９０度」に変位させる。公転コントローラ９７が、自転角度「９０度」に変位した検査チップ２を公転する。上辺部２１から下辺部２４に向けて働く遠心力Ａの作用によって、分離成分１３が第二通路１１５から第一定量部１１６に流入する。第一定量部１１６では、所定量を超える分離成分１３が第三通路１１７に溢れ出して第二余剰部１１８に貯留されることによって、所定量の分離成分１３が定量される。同時に、第一試薬１１が第六通路１３５から第一混合部１２０に流入する。第二試薬１２が混合室１５５から第二混合部１４０に流入する。
【００４８】
次に、図１２に示すように、自転コントローラ９８が自転角度「９０度」の検査チップ２を、正面視で時計周り方向に４５度自転させ、自転角度を「４５度」に変位させる。公転コントローラ９７が、自転角度「４５度」に変位した検査チップ２を公転する。上辺部２１と左辺部２３とがなす角部から、右辺部２２と下辺部２４とがなす角部に向けて働く遠心力Ａの作用によって、第一定量部１１６で定量された分離成分１３が、第四通路１１９を介して第一混合部１２０に流入する。第一混合部１２０では、分離成分１３と第一試薬１１とが混合して、第一混合液１５が生成される。
【００４９】
ステップＳ１の実行後、第一混合部１２０が光路上に移動され（Ｓ３）、第一混合液１５が計測される（Ｓ５）。具体的には、公転コントローラ９７が、検査チップ２を計測位置まで移動させる。さらに、自転コントローラ９８が、光路が第一混合部１２０を通過するように、検査チップ２の自転角度を調整する。詳細には、図１３に示すように、第一混合部１２０の内部で貯留される第一混合液１５の液面またはその下側に光路９が形成される位置に、検査チップ２の自転角度を調整する。検査装置１は、光センサ７２が受光した計測光の減衰量に基づいて、第一混合液１５の計測結果（第一混合液情報）を得る。
【００５０】
ステップＳ５の実行後、以下の検査チップ２の回転制御によって、第二混合液１６が生成される（Ｓ７）。まず、図１４に示すように、自転コントローラ９８が検査チップ２を定常状態まで自転させる。公転コントローラ９７が、自転角度「０度」に変位した検査チップ２を公転する。左辺部２３から右辺部２２に向けて働く遠心力Ａの作用によって、第一混合部１２０で生成された第一混合液１５が、第七通路１３６を介して混合室１５５に流入する。混合室１５５では、第一混合液１５と第二試薬１２とが混合して、第二混合液１６が生成される。
【００５１】
ステップＳ７の実行後、第二混合部１４０が光路上に移動され（Ｓ９）、第二混合液１６が計測される（Ｓ１１）。具体的には、公転コントローラ９７が、検査チップ２を計測位置まで移動させる。さらに、自転コントローラ９８が、光路が第二混合部１４０を通過するように、検査チップ２の自転角度を調整する。詳細には、図１５に示すように、第二混合部１４０の内部で貯留される第二混合液１６の液面またはその下側に光路９が形成される位置に、検査チップ２の自転角度を調整する。検査装置１は、光センサ７２が受光した計測光の減衰量に基づいて、第二混合液１６の計測結果（第二混合液情報）を得る。
【００５２】
ステップＳ１１の実行後、第二余剰部１１８が光路上に移動され（Ｓ１３）、分離成分１３が計測される（Ｓ１５）。具体的には、公転コントローラ９７が、検査チップ２を計測位置まで移動させる。さらに、自転コントローラ９８が、光路が第二余剰部１１８を通過するように、検査チップ２の自転角度を調整する。詳細には、図１６に示すように、第二余剰部１１８の内部で貯留される分離成分１３の液面またはその下側に光路９が形成される位置に、検査チップ２の自転角度を調整する。検査装置１は、光センサ７２が受光した計測光の減衰量に基づいて、分離成分１３の計測結果（検体情報）を得る。本実施形態の検体情報は、検体１０の溶血指数である。
【００５３】
なお、本実施形態の検査チップ２では、第一余剰部１１４、第二余剰部１１８、第三余剰部１３４、第四余剰部１５４、第二混合部１４０が、それぞれ内部に流入した液体が、検査チップ２が自転しても外部に流出しにくい構造を有する。したがって、例えばステップＳ１３で検査チップ２が自転された場合でも、第二余剰部１１８から分離成分１３が流出しにくく、且つ、第二混合部１４０から第二混合液１６に流出しにくい。したがって、第二混合液１６が第二余剰部１１８に流入して分離成分１３に混合することが防止でき、且つ、第二混合液１６で分離成分１３を適切に検出できる。
【００５４】
最後に、検体１０の検査結果が取得されて、ディスプレイ９６に表示される（Ｓ１７）。本実施形態では、補正テーブル８（図７参照）を参照して、ステップＳ１５で取得された検体情報（溶血指数）に対応する補正値が取得される。この補正値に基づいて、ステップＳ５で取得された第一混合液情報と、ステップＳ１１で取得された第二混合液情報とが補正される。補正後の第一、第二混合液情報が、検体１０の検査結果として表示される。
【００５５】
以上説明したように、本実施形態の検査システム３は、検体１０、第一試薬１１、第二試薬１２が注入される検査チップ２と、検体１０を遠心処理する検査装置１とを含む。検査チップ２の液体回路２５は、検体１０の分離成分１３が貯留される第二余剰部１１８と、第一混合液１５が貯留される第一混合部１２０と、第二混合液１６が貯留される第二混合部１４０とを備える。検査装置１は、検査チップ２を主軸５７および支軸４６を中心に回転自在に保持する角度変更機構３４と、光源７１および光センサ７２とを備える。
【００５６】
検査装置１では、検体１０に第二余剰部１１８へ流入させる遠心力が付与される（Ｓ１）。検体１０および第一試薬１１を混合させて、第一混合液１５を第一混合部１２０に流入させる遠心力が付与される（Ｓ１）。第一混合液１５および第二試薬１２を混合させて、第二混合液１６を第二混合部１４０に流入させる遠心力が付与される（Ｓ７）。第二余剰部１１８に検体が貯留されている状態で、第二余剰部１１８が光路上に移動されて検体情報が取得される（Ｓ１５）。第一混合部１２０に第一混合液１５が貯留されている状態で、第一混合部１２０が光路上に移動されて第一混合液情報が取得される（Ｓ５）。第二混合部１４０に第二混合液１６が貯留されている状態で、第二混合部１４０が光路上に移動されて第二混合液情報が取得される（Ｓ１１）。取得された検体情報、第一混合液情報、第二混合液情報に基づいて、検体１０の検査結果が取得および表示される（Ｓ１７）。
【００５７】
したがって、検体情報、第一混合液情報、第二混合液情報に基づいて、検査装置１で適正な検査結果を取得できる。さらに、検査チップ２を主軸５７および支軸４６を中心に回転させることで、第一混合液１５および第二混合液１６が生成されるのみならず、第二余剰部１１８、第一混合部１２０、第二混合部１４０を一の光源７１と光センサ７２との間における共通の光路で光計測できる。言い換えると、第一混合液１５および第二混合液１６を計測するための光路で、第二余剰部１１８内の検体１０を計測できる。検査装置１に第二余剰部１１８内の検体１０体を計測するための光路を設ける必要がないため、適正な検査結果を簡易に取得できる。一の光路で複数の混合部（第一混合部１２０、第二混合部１４０）を計測できるため、適正な検査結果をより簡易に取得できる。
【００５８】
別の観点で言えば、検査チップ２は、検査装置１によって主軸５７を中心に回転されることで遠心力が付与され、且つ、支軸４６を中心に回転されることで遠心力の方向が変化される。検査チップ２の液体回路２５は、検体１０の分離成分１３が貯留される第二余剰部１１８と、第一混合液１５が貯留される第一混合部１２０と、第二混合液１６が貯留される第二混合部１４０とを備える。第二余剰部１１８は、検査チップ２が支軸４６を中心とした回転制御によって、貯留される検体１０の液面またはその下側で光路が形成される。第一混合部１２０は、検査チップ２が支軸４６を中心とした回転制御によって、貯留される第一混合液１５の液面またはその下側で光路が形成される。第二混合部１４０は、検査チップ２が支軸４６を中心とした回転制御によって、貯留される第二混合液１６の液面またはその下側で光路が形成される。したがって、検査チップ２が使用される検査装置１では、上述のように適正な検査結果を簡易に取得できる。
【００５９】
上記実施形態において、検査チップ２が本発明の「検査対象受体」に相当する。板材２０が本発明の「本体部」に相当する。第二余剰部１１８が本発明の「検出部」に相当する。第一混合部１２０および第二混合部１４０が、本発明の「混合部」に相当する。角度変更機構３４が本発明の「受体保持手段」に相当する。主軸５７が本発明の「第一軸」に相当し、支軸４６が本発明の「第二軸」に相当する。光センサ７２が本発明の「検出器」に相当する。ステップＳ１を実行するＣＰＵ９１が、本発明の「第一遠心手段」に相当する。ステップＳ１、Ｓ７を実行するＣＰＵ９１が、本発明の「第二遠心手段」に相当する。ステップＳ１３を実行するＣＰＵ９１が、本発明の「第一移動手段」に相当する。ステップＳ１５を実行するＣＰＵ９１が、本発明の「検体情報取得手段」に相当する。ステップＳ３、Ｓ９を実行するＣＰＵ９１が、本発明の「第二移動手段」に相当する。ステップＳ５、Ｓ１１を実行するＣＰＵ９１が、本発明の「混合液情報取得手段」に相当する。ステップＳ１７を実行するＣＰＵ９１が、本発明の「検査結果取得手段」に相当する。
【００６０】
第一混合部１２０が、本発明の「第一混合部」に相当する。第二混合部１４０が、本発明の「第二混合部」に相当する。ステップＳ１が、本発明の「第一遠心ステップ」に相当する。ステップＳ１、Ｓ７が、本発明の「第二遠心ステップ」に相当する。ステップＳ１３が、本発明の「第一移動ステップ」に相当する。ステップＳ１５が、本発明の「検体情報取得ステップ」に相当する。ステップＳ３、Ｓ９が、本発明の「第二移動ステップ」に相当する。ステップＳ５、Ｓ１１が、本発明の「混合液情報取得ステップ」に相当する。ステップＳ１７が、本発明の「検査結果取得ステップ」に相当する。
【００６１】
本発明は、上記実施形態に限定されるものではなく、各種の変形が可能である。上記実施形態の検査装置１や検査チップ２は単なる例示であり、各々の構造、形状や処理などを変更可能である。
【００６２】
上記実施形態では、第二余剰部１１８に貯留されている検体１０から検体情報を取得しているが、本発明の「検出部」は第二余剰部１１８に限定されない。例えば、上記実施形態の検査チップ２では、先述したように第一余剰部１１４（図５、図１６参照）も同一の光路で光計測が可能である。したがって、第一余剰部１１４に貯留されている検体１０から、検体情報を取得してもよい。
【００６３】
上記実施形態では、第一混合部１２０の第一混合液１５から第一混合液情報を取得し、第二混合部１４０の第二混合液１６から第二混合液情報を取得しているが、本発明の「混合部」は第一混合部１２０および第二混合部１４０に限定されない。例えば、第一混合部１２０および第二混合部１４０の一方のみを光計測して、第一混合液情報および第二混合液情報の一方のみを取得してもよい。
【００６４】
図１７および図１８に示す第一変形例の検査チップ２は、一の「混合部」を備えている。詳細には、第一変形例の検査チップ２は、上記実施形態の第一混合部１２０、第七通路１３６、第二混合部１４０、混合室１５５に代えて、混合部１６０、第一室１５６、第二室１５７、第九通路１５８を、液体回路２５に含む。混合部１６０は、第一定量部１１６で生成された分離成分１３と、第二定量部１３２で定量された第一試薬１１と、第三定量部１５２で定量された第二試薬１２とが混合される部位であり、正面視で上側に開口する凹部である。
【００６５】
第四通路１１９および第六通路１３５は、混合部１６０に連通している。一方、第三供給路１５１と第三定量部１５２とが連通する部位から右側に、正面視矩形状の凹部である第一室１５６が設けられている。第一室１５６は、その下側に設けられた正面視矩形状の凹部である第二室１５７と連通している。第二室１５７は、第九通路１５８を介して、混合部１６０に連通している。第九通路１５８は、第二室１５７の右上端部と、混合部１６０の右上端部とに接続されている。
【００６６】
第一変形例の検査チップ２が、上記実施形態と同様に遠心処理されると、第一定量部１１６で生成された分離成分１３と、第二定量部１３２で定量された第一試薬１１と、第三定量部１５２で定量された第二試薬１２とが、混合部１６０に流入する。混合部１６０では、分離成分１３、第一試薬１１、第二試薬１２が混合されて、第二混合液１６が生成される。
【００６７】
第一変形例の検査チップ２では、第一余剰部１１４、第二余剰部１１８、混合部１６０が、正面視で軸線Ｏから略等しい距離で形成されている。検査チップ２を軸線Ｏ中心に計測位置で自転させると、第一余剰部１１４、第二余剰部１１８、混合部１６０を経由する円弧状の軌跡（図１８の点線矢印）で光路が相対移動する。つまり、第一余剰部１１４、第二余剰部１１８、混合部１６０を、同一の光路で計測可能である。
【００６８】
したがって、検査装置１は、混合部１６０の光計測によって、混合部１６０に貯留されている第二混合液１６から、混合液情報を取得できる。また、上記実施形態と同様に、第一余剰部１１４および第二余剰部１１８の少なくとも一方に貯留されている検体１０から、検体情報を取得できる。取得した混合液情報および検体情報に基づいて、検査結果を取得できる。
【００６９】
図１９および図２０に示す第二変形例の検査チップ２は、分離部１１２が「検出部」として機能する。詳細には、第二変形例の検査チップ２は、分離部１１２、第二余剰部１１８、第一混合部１２０、第二混合部１４０が、正面視で軸線Ｏから略等しい距離で形成されている。検査チップ２を軸線Ｏ中心に計測位置で自転させると、分離部１１２、第一余剰部１１４、第一混合部１２０、第二混合部１４０を経由する円弧状の軌跡（図２０の点線矢印）で光路が相対移動する。つまり、分離部１１２、第二余剰部１１８、第一混合部１２０、第二混合部１４０を、同一の光路で計測可能である。
【００７０】
第一変形例の検査チップ２が、上記実施形態と同様に遠心処理されると、上記実施形態と同様に検体１０、第一試薬１１、第二試薬１２が液体回路２５内を流動し、分離部１１２には検体１０の残留成分１４が貯留される。したがって、検査装置１は、分離部１１２および第二余剰部１１８の少なくとも一方に貯留されている検体１０から、検体情報を取得できる。また、上記実施形態と同様に、第一混合部１２０に貯留されている第一混合液１５、および、第二混合部１４０に貯留されている第二混合液１６の少なくとも一方から、混合液情報を取得できる。取得した混合液情報および検体情報に基づいて、検査結果を取得できる。
【００７１】
「検体情報」は、検体１０の溶血指数に限定されず、検体１０に関する情報であればよい。また、「検体情報」は、検査結果の補正値に限定されず、検査装置１が適正な検査結果を取得できないことを示すエラー情報であってもよい。例えば、「検体情報」は、「検出部」内における液体の存否または液体量を確認する光計測によって得られた情報でもよい。この場合、検査装置１は、液体の存否または液体量を示す「検体情報」に基づいて、「検出部」に検体１０が存在するか否か、あるいは、検体１０が所要量以上であるか否かを特定できる。検体１０が存在しないことや所要量を満たさないことを特定した場合、検査結果として「エラー」を取得して報知してもよい。
【００７２】
上記のようなエラー検知を、検査手順の早い段階（例えば、遠心処理の実行前）に行ってもよい。この場合、エラー検知で「エラー」が取得されたときは、検査結果としてエラー報知を報知したのち、遠心処理を実行せずに終了してもよい。検体１０の不要な遠心処理が省略できるため、検査結果を迅速に取得することができる。さらに、検査装置１に使用される検査チップ２は上記のエラー検知に対応できればよいため、開発者は汎用性の高い液体回路２５を設計することができる。
【００７３】
上記実施形態では、検査チップ２の自転制御によって、「検出部」および「混合部」に対して選択的に光路を通過させて計測しているが、検査チップ２上で光路が通過する計測対象の部位は、検査チップ２の自転および公転の少なくとも一方で切り替えればよい。例えば、検査チップ２の自転角度および公転角度の両方を調整することで、あるいは、検査チップ２の公転角度のみを調整して、検査チップ２上の計測対象部位を切り替えてもよい。なお、これらの場合には、検査チップ２の自転及び公転または検査チップ２の公転に応じて、検査チップ２に対して光路が経由する軌跡上に、「検出部」および「混合部」を設ければよい。
【００７４】
検査チップ２の公転中心となる検査装置１の「第一軸」は、垂直軸に限定されず、設置面に対して傾斜した軸や水平軸でもよい。検査チップ２の自転中心となる検査装置１の「第二軸」は、水平軸に限定されず、第一軸とは異なる軸であればよい。検査チップ２の自転角度は「０度」〜「１８０度」に限定されず、他の角度範囲（例えば、「０度」〜「３６０度」）でもよい。
【００７５】
「検体」は、血液に限定されず、液体であればよい。「試薬」は、使用される検体に応じて様々な液体の薬品を使用できる。検査チップ２に注入される「試薬」の数量は、２つ（第一試薬１１および第二試薬１２）に限定されず、１つの試薬でもよいし、３つ以上の試薬でもよい。
【符号の説明】
【００７６】
１    検査装置
２    検査チップ
３    検査システム
１０    検体
１１    第一試薬
１２    第二試薬
１５    第一混合液
１６    第二混合液
２０    板材
２５    液体回路
３４    角度変更機構
４６    支軸
５７    主軸
７１    光源
７２    光センサ
９１    ＣＰＵ
１１２    分離部
１１４    第一余剰部
１１８    第二余剰部
１２０    第一混合部
１４０    第二混合部
１６０    混合部
【図１】
2014010043.tif 000003
【図２】
2014010043.tif 000004
【図３】
2014010043.tif 000005
【図４】
2014010043.tif 000006
【図５】
2014010043.tif 000007
【図６】
2014010043.tif 000008
【図７】
2014010043.tif 000009
【図８】
2014010043.tif 000010
【図９】
2014010043.tif 000011
【図１０】
2014010043.tif 000012
【図１１】
2014010043.tif 000013
【図１２】
2014010043.tif 000014
【図１３】
2014010043.tif 000015
【図１４】
2014010043.tif 000016
【図１５】
2014010043.tif 000017
【図１６】
2014010043.tif 000018
【図１７】
2014010043.tif 000019
【図１８】
2014010043.tif 000020
【図１９】
2014010043.tif 000021
【図２０】
2014010043.tif 000022